(57)【特許請求の範囲】
【請求項１】
通気性を有する不織布からなる管状の内壁と、この内壁の外周面に一定のピッチでもって螺旋状に巻着してなる合成樹脂製の補強条材と、この補強条材を介して上記内壁の外周面に全長に亘って管状に設けている独立発泡合成樹脂層からなる管壁と、この管壁の外周面を被覆した非通気性の軟質合成樹脂シートからなる外壁とからなり、且つ、上記独立発泡合成樹脂層からなる管壁にその内外周面間に貫通した多数の吸音孔を周方向及び長さ方向に小間隔毎に穿設してなる吸音ダクトであって、上記管壁は一定幅と厚みを有する独立発泡合成樹脂製の帯状材を、対向する側端面同士を接合させながら螺旋巻きすることによって形成されてあり、上記外壁は一定幅を有する軟質合成樹脂製帯状材を上記独立発泡合成樹脂製の帯状材の外面に熱融着することなく重ね合わせた状態にして独立発泡合成樹脂製の帯状材と一体に螺旋巻きすると共にその一側端部を隣接する独立発泡合成樹脂製帯状材の対向側端面間に介在させてこれらの対向側端面に熱融着により一体に固着し、他側端部を先に一巻き状に巻回した独立発泡合成樹脂製帯状材上の軟質合成樹脂製帯状材の一側端部に熱融着してあり、さらに、上記吸音孔は管壁の内周面から外周面に向かって先細となる円錐形状又は角錐形状に形成されていることを特徴とする吸音ダクト。
【請求項２】
内壁と外壁との間に独立発泡合成樹脂層からなる内側管壁と外側管壁との２層の管壁を設けていることを特徴とする請求項１に記載の吸音ダクト。
【発明の詳細な説明】
【技術分野】
【０００１】
本発明は建物の天井裏等に配管されて室内の換気や室内への冷暖房用の通風等を行う吸音ダクトの改良に関するものである。
【背景技術】
【０００２】
近年、居住環境を良好にするために気密性を有する建物が一般的に建築されるようになり、それに伴って気密な室内を安定して換気や冷暖房を行うことが要求されている。このような要求を満たすために、建物の天井裏や壁等を利用してダクトを配設し、該ダクトを通じて送風機等の送風源からの外部空気を室内に供給したり、或いは、上下階層間を循環させたりする給気システムが採用されているが、送風機等の駆動によって発生する騒音やダクト内を流通する際の風の音がダクトを通じて室内に伝搬し、不快感を与えることになる。
【０００３】
このため、例えば、特許文献１に記載されているように、不織布等の通気性を有するシート状物からなる管状の内壁と、この内壁の外周面に一定のピッチでもって螺旋状に巻着してなる硬質合成樹脂製の補強条体と、隣接する補強条体間に介在させている一定厚みを有する帯状の独立発泡合成樹脂材からなり、且つ、この独立発泡合成樹脂材に長さ方向及び周方向に所定間隔毎に該独立発泡合成樹脂材の内外周面間に貫通した多数の吸音孔を設けてなる管状の断熱層と、この断熱層を被覆している非通気性軟質合成樹脂シートよりなる外壁とから構成された吸音ダクトが開発されている。
【０００４】
この吸音ダクトによれば、独立発泡合成樹脂材からなる管状の断熱層によって断熱機能を奏すると共に、不織布等からなる内壁に設けている細かい通気孔を通じて音波が断熱層に設けている吸音孔内に入る際に、その音のエネルギーを減衰させると共に吸音孔を塞いでいる内壁部分が振動して吸音作用を奏し、さらに、不織布に設けている細かい通気孔から吸音孔内の空間部に音波が入った際に、該音波が急激に拡散すると共にこの吸音孔の周壁で乱反射しながら吸音孔内の空気を振動させることによって消音作用を発揮させることができる。
【先行技術文献】
【特許文献】
【０００５】
【特許文献１】特開２００６−３１３０４３号公報
【発明の開示】
【発明が解決しようとする課題】
【０００６】
しかしながら、上記吸音ダクトによれば、図７に示すように、独立発泡合成樹脂材からなる断熱層13に設けている吸音孔15は、全長に亘って一定径の円形孔形状に形成されているため、この吸音孔15の孔壁が平滑な面と仮定した場合、不織布からなる内壁11の通気孔等を通じて該吸音孔15内に入射した音波ａは、孔壁に対して入射した際の反射角度と同一角度でもって吸音孔15を通過するまで対向する壁面に順次反射しながら外壁14の内面側に達することになり、音波ａの反射回数を増大する方向に変化させることができないために、反射時の空気の振動による消音効果が十分に期待できない上に、外壁14の内面に臨んでいる吸音孔15の外側開口径が内側と同じ径を有しているため、吸音孔15から出射した音波ａが外壁14の内面で反射して再び吸音孔12内に戻りやすくなり、消音機能が低下するといった問題点がある。
【０００７】
また、独立発泡合成樹脂からなる断熱層が、管の長さ方向に連続することなく補強条体によって分断された構造となっているので、断熱効果が損なわれるばかりでなく、隣接する帯状の独立発泡合成樹脂材は、互いにその対向側端面同士を融着等によって一体に接続させることなく単に接合させた状態で螺旋巻きしているので、このダクトを曲げ施工した場合、その対向側端面間に隙間が発生して断熱機能が低下するといった問題点がある。
【０００８】
本発明はこのような問題点に鑑みてなされたもので、その目的とするところは、簡単な構造によって送風機等の送風源から発生する騒音や内部を流通する風の音を効果的に吸収、消音することができると共に、良好な断熱機能を発揮し得る吸音ダクトを提供するにある。
【課題を解決するための手段】
【０００９】
上記目的を達成するために本発明の吸音ダクトは、請求項１に記載したように、通気性を有する不織布からなる管状の内壁と、この内壁の外周面に一定のピッチでもって螺旋状に巻着してなる合成樹脂製の補強条材と、この補強条材を介して上記内壁の外周面に全長に亘って管状に設けている独立発泡合成樹脂層からなる管壁と、この管壁の外周面を被覆した非通気性の軟質合成樹脂シートからなる外壁とからなり、且つ、上記独立発泡合成樹脂層からなる管壁にその内外周面間に貫通した多数の吸音孔を周方向及び長さ方向に小間隔毎に穿設してなる吸音ダクトであって、上記管壁は一定幅と厚みを有する独立発泡合成樹脂製の帯状材を、対向する側端面同士を接合させながら螺旋巻きすることによって形成されてあり、上記外壁は一定幅を有する軟質合成樹脂製帯状材を上記独立発泡合成樹脂製の帯状材の外面に熱融着することなく重ね合わせた状態にして独立発泡合成樹脂製の帯状材と一体に螺旋巻きすると共にその一側端部を隣接する独立発泡合成樹脂製帯状材の対向側端面間に介在させてこれらの対向側端面に熱融着により一体に固着し、他側端部を先に一巻き状に巻回した独立発泡合成樹脂製帯状材上の軟質合成樹脂製帯状材の一側端部に熱融着してあり、さらに、上記吸音孔は管壁の内周面から外周面に向かって先細となる円錐形状又は角錐形状に形成されていることを特徴とする。
【００１０】
このように構成した吸音ダクトにおいて、請求項２に係る発明は、上記内壁と外壁との間に独立発泡合成樹脂層からなる内側管壁と外側管壁との２層の管壁を設けていることを特徴とする。
【発明の効果】
【００１２】
請求項１に係る発明によれば、通風を行うダクトの内壁を通気性を有する不織布から形成しているので、不織布の繊維間の無数の空隙部が多孔性吸音材料と同等の吸音作用を行って中音域から高音域の音を効果的に吸収することができるばかりでなく、この不織布からなる内壁と非通気性の軟質合成樹脂シートからなる外壁との間に独立発泡合成樹脂層からなる管壁を設けていると共にこの管壁に内外周面間に貫通した多数の吸音孔を周方向及び長さ方向に小間隔毎に穿設しているので、音波が不織布の小さな繊維間の隙間からこれらの吸音孔内に入った際に急激に拡散すると共に吸音孔の孔壁で乱反射しながら吸音孔内の空気を振動させて共鳴器と同様な消音作用を発揮し、吸音孔内の空気層により低音域の騒音まで吸収、消音することができる。
【００１３】
この際、吸音孔を管壁の内周面から外周面に向かって先細となる円錐形状又は角錐形状に形成しているので、孔壁が外側に向かう従って内側に傾斜していることと相まって孔壁の対向壁面間の間隔が内壁側から外壁側に向かって徐々に狭くなっているため、不織布からなる内壁を通じて該吸音孔内に入射した音波の孔壁に対する反射角度が外壁側に向かうに従って変化すると共にその反射回数が増大して独立発泡合成樹脂層の気泡膜等が頻繁に空気振動して優れた消音作用を奏し、その上、外壁の内周面に臨んでいる吸音孔の外側開口径が小径であるから、この開口端から出射した音波が吸音孔内に戻り難く、外壁の内周面と管壁の外周面との隙間を通じて外部に排除され、極めて静かな通風を可能にし得るダクトを提供することができる。
【００１４】
さらに、管壁が独立発泡合成樹脂層によって形成しているので、優れた断熱作用を奏すると共に、不織布からなる内壁の外周面に一定のピッチでもって螺旋状に巻着している合成樹脂製の補強条材によって保形性と共に耐圧性を具備させることができ、取扱性、施工性が容易な吸音ダクトを得ることができる。
その上、本発明によれば、一定幅と厚みを有する独立発泡合成樹脂製の帯状材を、対向する側端面同士を接合させながら螺旋巻きすることによって管壁を形成してあり、外壁は一定幅を有する軟質合成樹脂製帯状材を上記独立発泡合成樹脂製の帯状材の外面に熱融着することなく重ね合わせた状態にして独立発泡合成樹脂製の帯状材と一体に螺旋巻きすると共にその一側端部を隣接する独立発泡合成樹脂製帯状材の対向側端面間に介在させてこれらの対向側端面に熱融着により一体に固着し、他側端部を先に一巻き状に巻回した独立発泡合成樹脂製帯状材上の軟質合成樹脂製帯状材の一側端部に熱融着しているので、管壁を形成している独立発泡合成樹脂製の帯状材からなる断熱層が、管の長さ方向に連続して良好な断熱機能を発揮することができるのは勿論、隣接する独立発泡合成樹脂製の帯状材の対向する側端面同士はこの帯状材を被覆している軟質合成樹脂製帯状材の一側端部を介して一体に熱融着しているから、ダクトを曲げ施工しても、その帯状材の対向側端面間に断熱機能を低下させる隙間が生じる虞れもない。
さらに、独立発泡合成樹脂製の帯状材を被覆している軟質合成樹脂製帯状材は、その両側端部以外の部分を独立発泡合成樹脂製帯状材の外面に熱融着することなく重ね合わせた状態にしているので、軟質合成樹脂製帯状材によるダクトの曲げ抵抗が低下して円形断面を保持させながらダクトを容易に且つ大きく曲げることができ、従って、施工性が向上するばかりでなく、独立発泡合成樹脂製の帯状材を螺旋巻きすることによって形成された管壁の外周面とこの外周面上に軟質合成樹脂製帯状材を螺旋巻きしてなる外壁の内周面との間に隙間を発生させることができ、そのため、管壁に多数、穿設している上記円錐形状又は角錐形状の吸音孔内で乱反射しながら該吸音孔の小径開口端に達した音波をこの開口端から上記隙間内に導入して外壁と管壁との対向壁面で乱反射させながら減衰、消音させることができる。
【００１５】
また、請求項２に記載の発明のように、上記不織布からなる内壁と非通気性の軟質合成樹脂シートからなる外壁との間に多数の吸音孔を設けている独立発泡合成樹脂層からなる内側管壁と外側管壁との２層の管壁を設けておけば、音波をこれらの管壁に設けている上記吸音孔と内外管壁間の隙間で乱反射させることができ、一層、優れた消音効果と断熱効果を奏するダクトを提供することができる。
【図面の簡単な説明】
【００１８】
【図１】一部を径方向及び長さ方向に断面した吸音ダクトの斜視図。
【図２】その上半部分を断面した縦断側面図。
【図３】一部の拡大縦断側面図。
【図４】音波の乱反射状態を示す吸音孔部分の拡大縦断側面図。
【図５】内外２層の管壁を設けている吸音ダクトの上半部分を断面した縦断側面図。
【図６】その一部の拡大縦断側面図。
【図７】従来の吸音ダクトの吸音孔の形状を示す拡大縦断側面図。
【発明を実施するための形態】
【００１９】
本発明の具体的な実施の形態を図面について説明すると、図１〜図３において、吸音ダクトＡは、不織布からなる通気性を有するシート状物によって形成された一定径を有する薄い管状の内壁１と、この内壁１の外周面に一定のピッチでもって螺旋状に巻着してなる一定厚みと一定幅を有する断面矩形状の硬質合成樹脂製の補強条材２と、この補強条材２を介して上記内壁１の外周面に該内壁１を全長に亘って被覆している一定厚みを有する管状に形成された独立発泡合成樹脂層からなる管壁３と、この管壁３の外周面全面を被覆している非通気性の軟質合成樹脂シートからなる外壁４とからなり、さらに、上記独立発泡合成樹脂層からなる管壁３に、この管壁３の内外周面間に貫通した多数の円錐形状の吸音孔５、５・・・５を周方向及び長さ方向に小間隔毎に穿設してなるものであり、且つ、この円錐形状の吸音孔５の大径開口端側を内壁１の外周面に、小径開口端側を外壁４の内周面に臨ませている。なお、この吸音孔５の大径側の開口径は２〜３ｍｍ程度、小径側の開口径は１〜１．５ｍｍ程度に形成されている。
【００２０】
上記内壁１を形成している不織布としては、ポリプロピレンやポリエステル等の合成樹脂繊維又は天然繊維からなり、上記補強条材２の螺旋巻きピッチに略等しい幅を有する長い帯状不織布を、先に螺旋状に一巻きした帯状不織布部1aと次に螺旋状に一巻きした帯状不織布部1aとの対向する側端部を重ね合わせて熱融着しながら螺旋状に巻回することにより一定径のダクト内壁１を形成している。また、上記補強条材２は、適度な可撓性と弾性を有するポリプロピレン、ポリエチレン等のオレフィン系の硬質合成樹脂からなり、内壁１の上記隣接する帯状不織布部1a、1aにおける重なり合った側端部上にその内面を重ねて熱融着させながら一定のピッチでもって螺旋状に巻着している。なお、この補強条材２の断面形状は、矩形状に限らず、半円形状、楕円形状等の適宜な形状であってもよい。
【００２１】
上記管壁３は、発泡ポリエチレン樹脂等の独立発泡合成樹脂からなり、上記内壁１を形成している帯状不織布と略同一幅を有する一定の厚みの断面が横長平行四辺形状に形成され、且つ、その幅方向及び長さ方向に小間隔毎に多数の円錐形状の吸音孔５を穿設している独立発泡合成樹脂製の帯状材を、不織布からなる上記内壁１の外周面に上記補強条材２を被覆するようにして先に螺旋状に一巻きした独立発泡合成樹脂製帯状材部3aと次に螺旋状に一巻きした独立発泡合成樹脂製帯状材部3aとの対向する傾斜側端面3a1 、3a2 を突き合わせ状に接合させながら上記帯状不織布と同じピッチでもって螺旋巻きすることにより管状に形成してなるものである。
【００２２】
さらに、上記外壁４は、管壁３を形成している上記独立発泡合成樹脂製帯状材の幅よりも広い一定幅を有するホリエチレン樹脂等の軟質合成樹脂製帯状材を独立発泡合成樹脂製帯状材上に熱融着することなく重ね合わせた状態にして、先に螺旋状に一巻きした独立発泡合成樹脂製帯状材部3aと次に螺旋状に一巻きする独立発泡合成樹脂製帯状材部3aとの互いに突き合わせ状に接合する外向き傾斜側端面3a1 と内向き傾斜側端面3a2 との間にこの独立発泡合成樹脂製帯状材部3a上に重ねているその軟質合成樹脂製帯状材部4aの一側端部4a1 を介在させ、この一側端部4a1 を介して隣接する独立発泡合成樹脂製帯状材部3a、3aの接合傾斜側端面3a1 、3a2 同士を一体に熱融着させていると共に、該軟質合成樹脂製帯状材部4aの他側端部4a2 を先に螺旋状に一巻き状した独立発泡合成樹脂製帯状材部3a上の軟質合成樹脂製帯状材部4aの一側部外面に熱融着による一体に固着してなるものである。従って、軟質合成樹脂製帯状材部4aの両側端部以外の部分は独立発泡合成樹脂製帯状材部3aの外面に熱融着することなく単に重なる合った状態となっている。
【００２３】
このように構成した吸音ダクトは通常の合成樹脂製可撓管と同じ製造方法によって製造することができる。その製造方法を簡単に説明すると、一定幅を有する帯状不織布を成形用回転軸上に、先に一巻き状に巻回した帯状不織布部1aの一側端部上に次に一巻き状に巻回する帯状不織布部1aの他側端部を重ね合わせ又は突き合わせながら螺旋状に巻装することによって内壁１を形成していくと共に、成形ノズルから半溶融状の合成樹脂製補強条材２を押し出しながら上記帯状不織布部1aの重合部上又は突き合わせ部上に螺旋状に巻回してその溶融温度により帯状不織布部の重合部又は突き合わせ部を融着させると共にその状態で冷却させることによりこの重合部上又は突き合わせ部上に一体に固着させる。なお、補強条材２よりも小径の補強条材2'も複数状、並列状態にして内壁１を形成する帯状不織布上に螺旋状に巻着する。
【００２４】
さらに、幅方向及び長さ方向に小間隔毎に上記吸音孔５を設けている断面横長平行四辺形状の一定厚みを有する独立発泡合成樹脂製帯状材における吸音孔５の小径部が開口している外面側にこの独立発泡合成樹脂製帯状材よりも幅広い軟質合成樹脂製帯状材を重ね合わせながら、成形回転軸上に、独立発泡合成樹脂製帯状材に先行して螺旋巻きされる上記帯状不織布上に、先に螺旋状に一巻きする独立発泡合成樹脂製帯状材部3aの外向き傾斜側端面3a1 に次に螺旋状に一巻きする独立発泡合成樹脂製帯状材部3aの内向き傾斜側端面3a2 を突き合わせるように接合させ、且つ、先に巻回した独立発泡合成樹脂製帯状材上に重ねる上記軟質合成樹脂製帯状材の一側端部4a1 を加熱により半溶融させながらこれらの接合する傾斜側端面3a1 、3a2 間に介在させることによって、この軟質合成樹脂製帯状材の一側端部4a1 を介して接合した独立発泡合成樹脂製帯状材部3a、3aの側端面3a1 、3a2 同士を一体に融着、固定する。
【００２５】
同時に、先に巻回した独立発泡合成樹脂製帯状材上の軟質合成樹脂製帯状材の一側部上に次に巻回する独立発泡合成樹脂製帯状材上の軟質合成樹脂製帯状材の他側端部4a2 を加熱により半溶融状態にして一体に融着、固定する。このように内壁１の外周面上に補強条材２を介して外面に軟質合成樹脂製帯状材を重ね合わせている独立発泡合成樹脂製帯状材を互いにその対向する傾斜側端面3a1 、3a2 同士を軟質合成樹脂製帯状材の一側端部4a1
を介して熱融着しながら、且つ、この熱融着される独立発泡合成樹脂製帯状材の傾斜側端面上の独立発泡合成樹脂製帯状材部3a、3aのの外面間を軟質合成樹脂製帯状材の他側端部4a2 を介して熱融着しながら螺旋巻きすることにより、吸音ダクトＡを製造するものである。なお、補強条材２を上に重ね合わせた独立発泡合成樹脂製帯状材部3aの内面は補強条材２の表面に沿って弾性的に凹入、変形して該補強条材２を被覆している。
【００２６】
こうして得られた吸音ダクトＡは、住宅の天井裏等に配管して送風機等の送風源からこの吸音ダクトＡを通じて室内の換気や冷暖房等を行うものであり、その際、独立発泡合成樹脂からなる管壁３が全長に亘って優れた断熱作用を奏するばかりでなく、送風機等の駆動によって発生する騒音やダクト内を流通する際の風の音が、ダクト内壁１を形成している不織布を通過中に、不織布との摩擦や不織布の繊維の振動により音のエネルギーを熱エネルギーに変換して消音作用を奏する。
【００２７】
さらに、音波ａが不織布の小さな繊維間の隙間を通じて独立発泡合成樹脂からなる管壁３に設けている吸音孔５内に入射した際に急激に拡散し、吸音孔５の孔壁面を形成している多数の気泡による細かい凹凸面で乱反射して吸音孔５内の空気を振動させ、騒音まで吸収、消音することができる。その上、吸音孔５が不織布からなる内壁１に面している内側開口端から、非通気性の軟質合成樹脂シートからなる外壁４に面している外側開口端に向かって徐々に小径となる円錐形状に形成されているので、図４に示すように吸音孔５内に入射した音波ａが、この外壁４に向かうに従って、吸音孔５の孔壁で乱反射する間隔幅が狭くなると共にその回数も増大して乱反射による吸音作用が一層効果的に行われ、且つ、吸音孔５の小径開口端から外壁４の内面に向かって出射した音波が吸音孔内に戻り難く、外壁の内周面と管壁の外周面との隙間を通じて外部に排除することができて、極めて静かな室内環境をつくり出すことができる。
【００２８】
また、管壁３を形成する独立発泡合成樹脂製帯状材の外面に外壁を形成するための軟質合成樹脂製帯状材が熱融着することなく重ね合わせた状態にしてこの独立発泡合成樹脂製帯状材を螺旋巻きすることによって管壁３と外壁４とを形成する際に、先に螺旋状に巻回した独立発泡合成樹脂製帯状材部3aと次に螺旋状に巻回した独立発泡合成樹脂製帯状材部3aとの対向する傾斜側端面3a1 、3a2 を接合させながらその接合部に上記軟質合成樹脂製帯状材の側端部4a1 、4a2 を熱融着させているので、この吸音ダクトＡを曲げ施工する際に屈曲させても、独立発泡合成樹脂からなる管壁３が長方向に連続した状態を維持して所期の断熱効果を奏することができるばかりでなく、長さ方向に圧縮力が作用する凹円弧状に湾曲する内側のダクト周壁部においては、その圧縮力によって外壁４が皺状に変形しながらその圧縮力を吸収して、曲げ施工部においても断面円形状を保持した状態で容易に施工することができる。
【００２９】
なお、以上の実施例においては、内外壁１、４間に独立発泡合成樹脂よりなる管壁３を一層設けているが、図５、図６に示すように、内側管壁3Aと外側管壁3Bとの２層を二重管状に重ね合わせた構造としておいてもよい。なお、これらの内外管壁3A、3Bにはその内周面側から外周面側に向かって漸次小径となる上記吸音孔５を周方向及び長さ方向に小間隔毎に貫設している。
【００３０】
上記二重管形状の内外管壁3A、3Bを形成するに場合、帯状不織布を螺旋巻きしてなる内壁１の外周面に、一定のピッチでもって螺旋巻きしている補強条材２を介して形成している内側管壁3Aには、この内側管壁3Aを形成する独立発泡合成樹脂製帯状材の外面に軟質合成樹脂製帯状材を重ねることなく該独立発泡合成樹脂製帯状材のみを、内壁１の外周面上に先に螺旋状に一巻きする独立発泡合成樹脂製帯状材部3aの外向き傾斜側端面3a1 に次に螺旋状に一巻きする独立発泡合成樹脂製帯状材部3aの内向き傾斜側端面3a2 を熱融着することなく突き合わせるように接合させながら螺旋巻きすることにより内側管壁3Aを形成する。
【００３１】
一方、この内側管壁3A上に螺旋巻きする独立発泡合成樹脂製帯状材には、その外面に上記実施例と同様にしてこの独立発泡合成樹脂製帯状材よりも幅広い軟質合成樹脂製帯状材を重ね合わせた状態にしている。そして、先行して形成される上記内側管壁3Aの外周面に螺旋状に一巻きする独立発泡合成樹脂製帯状材部3bの外向き傾斜側端面3b1 に次に螺旋状に一巻きする独立発泡合成樹脂製帯状材部3bの内向き傾斜側端面3b2 を突き合わせるように接合させ、且つ、先に巻回した独立発泡合成樹脂製帯状材上に重ねる上記軟質合成樹脂製帯状材の一側端部4a1 を加熱により半溶融させながらこれらの接合する傾斜側端面間に介在させることによって、この軟質合成樹脂製帯状材の一側端部4a1 を介して接合した独立発泡合成樹脂製帯状材部3a、3aの側端面同士を一体に融着、固定すると共に、互いに接合したこれらの独立発泡合成樹脂製帯状材部3a、3aの対向する側端面から上記軟質合成樹脂製帯状材の一側端縁部4a3 を予め内方に突出させておき、この突出端縁部4a3 を内側管壁3Aの外面における幅方向の中間部に上記対向する独立発泡合成樹脂製帯状材部3a、3aの側端面同士の融着と同時に熱融着することによって内側管壁3Aとその突出端縁部4a3 を介して一体に接続した外側管壁3Bを形成している。その他の構造については上記実施例と同様であるので、同一部分には同一符号を付して詳細な説明を省略する。
【００３２】
このように構成した吸音ダクトA'によれば、上記一層のみの独立発泡合成樹脂層からなる管壁３を有する吸音ダクトＡが奏する作用効果に加えて、内外二重の管壁3A、3Bによってさらに優れた断熱作用を発揮すると共に、不織布からなる内壁１を通じて内側管壁3Aに設けている吸音孔５内に入った音波をこの吸音孔５内で上記同様にして吸収、消音することができる上に、この吸音孔５内を通過した音波は、内外管壁3A、3B間の隙間を通じて拡散することによって吸音され、さらに、この隙間から外側管壁3Bに設けている吸音孔５内に入ってこの吸音孔５内においても上記同様にしてその内部の空気を振動させて消音作用を奏したのち、外壁４の内周面と管壁３の外周面との隙間内に入った音波は外壁４を振動させながら且つ独立発泡合成樹脂からなる管壁３の外周面で乱反射しながら吸音されて一段と静かな通風を可能にし得るダクトを提供することができるものである。なお、以上のいずれの実施例においても吸音孔５を円錐形状に形成しているが、角錐形状に形成しておいてもよく、要するに、内壁１側から外壁４側に向かって漸次小径となる孔に形成しておけばよい。
【符号の説明】
【００３３】
Ａ  吸音ダクト
１  不織布からなる内壁
２  補強条材
３  独立発泡合成樹脂からなる管壁
４  軟質合成樹脂シートからなる外壁
５  吸音孔
【図１】
0005599298.tif 000002
【図２】
0005599298.tif 000003
【図３】
0005599298.tif 000004
【図４】
0005599298.tif 000005
【図５】
0005599298.tif 000006
【図６】
0005599298.tif 000007
【図７】
0005599298.tif 000008